(57)【要約】【課題】  電気基板への不正なアクセスを許容する頻度を少なくし、かつ、開封の履歴を自動的に残す仕組みを構築することで管理者にかかる負担を軽減する。【解決手段】  ケースカバー４１１が開封された痕跡を示す２本の爪を有する破断部４１８と、電気配線が施された制御基板切断部位４２３が共に切断されない限り制御基板４１３へのアクセスを許可しない構造とする。また、制御基板４１３は、基板切断部位４２３の電気配線に並列に接続される抵抗Ｒによって示される電圧降下の変化を検出してケースカバー４１１の開封履歴を保持する開封履歴保持回路を備える。【選択図】      図６
2006006535.tif 000002
【特許請求の範囲】
【請求項１】
ＲＯＭが実装された制御基板を収納し、遊技機に固定されるケース本体と、
前記ケース本体を覆い、前記ケース本体に着脱自在に固定されるケースカバーと、
前記ケースカバーの側面に設けられ、前記ケースカバーが前記ケース本体に一旦固定され、開封されたときにその痕跡が残るように形成された固定部材と、
前記ケース本体に固定され、前記固定部材と対向する位置に、前記ケースカバーを固定するときに使用される止めネジが貫通する穴を有する突出部材を備えた前記制御基板と、
前記突出部材に電気配線が施され、前記固定部とは別に、前記電気配線が遮断されたときに前記ケースカバーが開封されたことの痕跡を示す制御基板切断部位と、
を具備することを特徴とする遊技機の基板ケース構造。
【請求項２】
前記固定部材は、
前記ケースカバーの側面に設けられる固定部と、
前記ケースカバーの側面から所定の対向間隔をもって外側に張り出した２本の爪を有し、当該爪が破断されときに前記開封されたことの痕跡を示す破断部と、
前記破断部の先端に設けられ、底部に前記ケース本体の固定部の取り付け穴に対応して止めネジをねじ込み可能な固定穴が形成された円筒状をなす頭部カバーと、
前記ケースカバーの固定部に対向する側面に設けられ、前記止めネジがねじ込まれる固定穴が形成された前記ケース本体の固定部と、
を具備することを特徴とする請求項１に記載の遊技機の基板ケース構造。
【請求項３】
前記制御基板は、
前記基板切断部位の電気配線に並列に接続される抵抗によって示される電圧降下の変化を検出して前記ケースカバーの開封履歴を保持する開封履歴保持回路を具備することを特徴とする請求項１または２に記載の遊技機の基板ケース構造。
【発明の詳細な説明】
【技術分野】
【０００１】
本発明は、スロットマシンやパチンコ等の遊技機に用いて好適な、遊技機の基板ケース構造に関する。
【背景技術】
【０００２】
遊技機用の基板ケースは、パチンコ球やメダルの衝突による破損などを防止するため、遊技を制御するプログラムを記憶したＲＯＭ（Read Only Memory）が実装された主制御基板を、遊技機に固定されるケース本体と、ケース本体を覆うケースカバーから成る基板ケースの内部に収納されている。
これら遊技機は、ＲＯＭに記録されたプログラムに基づき、入賞確率、あるいは賞球や払出しメダルの枚数などの遊技動作が制御される。上記したＲＯＭは、記録内容の破損などによる交換が必要となることがあり、この場合、基板そのものを交換せず、ＲＯＭのみ交換可能なように、ソケットなどを介して着脱が容易になるように基板に実装されている。
【０００３】
ところで、近年、遊技機に対し不正な行為を働く行為が問題になっており、例えば、スロットマシンの筐体を開け、主制御基板に取り付けられた正規のＲＯＭを、メーカーが製作したプログラムと異なるプログラムを記録した不正な改造ＲＯＭに交換してしまう不正行為が後を絶たない。
上記した不正行為を防止するため、従来、みだりにケースカバーが開放されないように、ケースカバーをケース本体にネジ止め固定し、さらには、正規のＲＯＭと外観上見分けがつかない不正なＲＯＭに交換されないように、封止部材を設け、ケースカバーが開放された痕跡が残るような工夫がなされている（例えば、特許文献１参照）。
【０００４】
【特許文献１】特開２０００−１４９０７号公報
【発明の開示】
【発明が解決しようとする課題】
【０００５】
しかしながら、特許文献１に開示された技術によっても封止部材が巧妙に切断され、改造ＲＯＭに付け替えてしまう不正が依然として後を絶たず、特に、２つある封止部材のうち、遊技機に取り付けられているケース本体側の封止部材が切断された場合、その痕跡は残っても、管理者がその痕跡を即座に見つけにくく、発見が遅れ、被害を被ることがある。このため、目視によらずにその痕跡を自動的に発見する手段の出現が望まれていた。
【０００６】
本発明は上記事情に鑑みてなされたものであり、封止機構に工夫を凝らすことにより、ＲＯＭが実装される電気基板へのアクセスの痕跡の発見を容易にした、遊技機の基板ケース構造を提供することを目的とする。
また、電気基板への不正なアクセスを許容する頻度を少なくし、かつ、開封の履歴を自動的に残す仕組みを構築することで管理者にかかる負担を軽減した、遊技機の基板ケース構造を提供することも目的とする。
【課題を解決するための手段】
【０００７】
上記した課題を解決するために本発明の遊技機の基板ケース構造は、ＲＯＭが実装された制御基板を収納し、遊技機に固定されるケース本体と、前記ケース本体を覆い、前記ケース本体に着脱自在に固定されるケースカバーと、前記ケースカバーの側面に設けられ、前記ケースカバーが前記ケース本体に一旦固定され、開封されたときにその痕跡が残るように形成された固定部材と、前記ケース本体に固定され、前記固定部材と対向する位置に、前記ケースカバーを固定するときに使用される止めネジが貫通する穴を有する突出部材を備えた前記制御基板と、前記突出部材に電気配線が施され、前記固定部とは別に、前記電気配線が遮断されたときに前記ケースカバーが開封されたことの痕跡を示す制御基板切断部位と、を具備することを特徴とする。
【０００８】
また、本発明において、前記固定部材は、前記ケースカバーの側面に設けられる固定部と、前記ケースカバーの側面から所定の対向間隔をもって外側に張り出した２本の爪を有し、当該爪が破断されときに前記開封されたことの痕跡を示す破断部と、前記破断部の先端に設けられ、底部に前記ケース本体の固定部の取り付け穴に対応して止めネジをねじ込み可能な固定穴が形成された円筒状をなす頭部カバーと、前記ケースカバーの固定部に対向する側面に設けられ、前記止めネジがねじ込まれる固定穴が形成された前記ケース本体の固定部と、を具備することを特徴とする。
【０００９】
また、本発明において、前記制御基板は、前記基板切断部位の電気配線に並列に接続される抵抗によって示される電圧降下の変化を検出して前記ケースカバーの開封履歴を保持する開封履歴保持回路を具備することを特徴とする。
【発明の効果】
【００１０】
本発明によれば、ケースカバーが開封された痕跡を示す破断部と、電気配線が施された制御基板切断部位が共に切断されない限り制御基板へのアクセスを許可しない構造とし、また、制御基板は、基板切断部位の電気配線に並列に接続される抵抗によって示される電圧降下の変化を検出してケースカバーの開封履歴を保持することで、従来に比較してケースカバーの不正な開封が行われる頻度を少なくでき、また、開封の履歴が自動的に残ることから管理者による見落とし等のミスがなくなり、そのための管理者の負担が軽減される。
なお、ＲＯＭが実装された制御基板はケース本体に固定されているため、ケースカバーの破断部が切断されても基板ケースにアクセスすることができず、また、破断部が切断されて制御基板がアクセスされた場合、その痕跡は一目瞭然であり、従って、管理者が見落とすことはなくなる。
【発明を実施するための最良の形態】
【００１１】
以下、本発明の一実施形態について、図１ないし図８を参照しながら詳細に説明する。なお、図１はスロットマシン１００の外部構造を表した平面図、図２はスロットマシン１００の内部構造を表した平面図、図３は本スロットマシン１００に設けられている制御システムの構成を表したブロック図である。
【００１２】
図１において、本スロットマシン１００は、遊技者に面するフロントドア１０１と、フロントドア１０１が開閉可能に取り付けられた箱形形状の筐体１０２とを備えて構成されている。フロントドア１０１は、基本的に、金属製のフレーム（図示略）に硬質プラスチック等で成形された前面パネルが取り付けられた機械的に強固な構造を有し、当該前面パネルによって、上部パネル部１０３と中部パネル部１０４と下部パネル部１０５が構成されている。
【００１３】
上部パネル部１０３には、演出用ランプ１０３ａと、スピーカが取り付けられた放音部１０３ｂ，１０３ｃと、クレジット枚数等を表示するＬＥＤや大当たり等を表示するランプ類が実装される中央表示基板１０３ｄが取り付けられている。
【００１４】
また、中部パネル部１０４には、複数個（本実施形態では３個）の回胴リールＲ１，Ｒ２，Ｒ３を備えた回胴リール装置２００が略中央の位置に設けられている。また、回胴リール装置２００の前面に、略長方形のリール表示窓を持つ、（ここでは透明液晶）が実装されている。液晶表示パネル１０６は、リール表示窓によって回胴リール装置２００を外部から保護すると共に、遊技者がリール表示窓を介して回胴リールＲ１，Ｒ２，Ｒ３を見ることが可能となっている。
液晶表示パネル（透明液晶）１０６は、薄膜トランジスタ層が形成されたガラス板等の透明基板と、これに対向する透明な基板間に液晶が封入されて形成される。液晶表示パネル１０６は、表示面側に光が透過し、透過した光が外部から視認される構造を持つ。この構造を採用することで、液晶を駆動していなくてもリール表示窓を介して回胴リールＲ１，Ｒ２，Ｒ３を視認することができるようになっている。
【００１５】
中部パネル部１０４の下端には、遊技者が操作するための操作部１０４ａが備えられ、遊技用メダルを投入するためのメダル投入部ＭＤが備え付けられている。また、操作部１０４ａの操作面上に、１ゲーム当たりのメダル数を提示するためのベットボタンＢＥＴ（Ｂ１，Ｂ２，Ｂ３）が設けられ、更にその前面には、１ゲームの開始を指示するためのスタートレバーＳＴと、回転中の回胴リールＲ１，Ｒ２，Ｒ３を個別に停止させるための３個のストップボタンＳＰ１，ＳＰ２，ＳＰ３が設けられている、操作部１０４に設けられたこれらボタン類は、図３中、符号３００で示されている。
更に、下部パネル部１０５には、本スロットマシン１００のゲーム内容に関連した画像等（図示略）が描かれており、遊技者の獲得したメダルを払い出すための排出口１０５ａ及び受皿１０５ｂと、スピーカが設けられた放音部１０５ｃが設けられている。
【００１６】
次に、図２を参照して、フロントドア１０１の裏面構造と、筐体１０２の内部構造を説明する。図２はフロントドア１０１を開錠して筐体１０２から開いた状態を表している。
同図において、フロントドア１０１の裏面上部に、放音部１０３ｂ，１０３ｃを構成するスピーカＳＲ，ＳＬが設けられている。
更に、回胴リール装置２００下部には、メダル投入部ＭＤより投入される投入物を正規の遊技用メダルか異物か判別して振り分ける振り分け機構Ｇ０と、振り分け機構Ｇ０で振り分けられた遊技用メダルを筐体１０２側に設けられているホッパ装置ＨＰへ案内するガイド部材Ｇ１と、振り分け機構Ｇ０で振り分けられた異物を排出口１０５ａへ案内して排出するガイド部材Ｇ２と、ホッパ装置ＨＰから出力される払い出し用のメダルを排出口１０５ａへ案内して出力するガイド部材Ｇ３が設けられ、更に排出口１０５ａの近傍に、スピーカＳＷが放音部１０５ｃに対応させて取り付けられている。
【００１７】
筐体１０２内には、主電源装置ＰＷＵと、ホッパ装置ＨＰから溢れた遊技用メダルを収容するための補助貯留部ＳＨＰと、フロントドア１０１側の透過窓ＷＤに対向する回胴リールＲ１，Ｒ２，Ｒ３を備えた回胴リール装置２００と、本スロットマシン１００の動作全体を集中制御する電気回路基板等を備えた主制御ユニット４００が設けられている。
主制御ユニット４００には、ＲＯＭを実装した制御基板が実装され、メダル衝突防止、ならびに不正なＲＯＭ交換防止のためにケースカバーによって保護されている。図４に筐体１０２内に実装されるパーツの拡大図が示されている。詳細は後述する。
【００１８】
ここで、主制御ユニット４００は、図３のブロック図に示すように、スロットマシン１００の動作全体を管理するシステムプログラム及びスロットマシンゲーム用の実行プログラムが予め記憶されている半導体メモリ等で形成された記憶部と、これらのプログラムを実行する図示せぬマイクロプロセッサとを有する主制御基板４００ａを備える。
また、主制御基板４００ａが搭載されている電気回路基板とは夫々別個の電気回路基板で形成され、主制御基板４００ａからの指令に従って分散制御を行うサブ制御基板４００ｂ、そして、画像再生基板４００ｋ、中央制御基板４００ｉ、外部集中端子基板６００を備えて構成されている。また、回胴リール制御部４００ｃ、入力ポート４００ｄ、入出力ポート４００ｇ、４００ｈも備えて構成されている。
【００１９】
上記した構成において、遊技者が操作部１０４ａに配置されたベットボタンＢＥＴ（Ｂ１，Ｂ２，Ｂ３）およびスタートレバーＳＴ（３００）を操作することにより遊技が開始され、適当なタイミングでストップボタンＳＰ１，ＳＰ２，ＳＰ３（３００）を順次操作することにより、大当たり抽選が開始される。これら操作内容は入力ポート４００ｄを介して取り込まれ、また、主制御基板４００ａによって抽選を含む大当たり抽選処理が実行され、その結果は、中央表示基板１０３ｄに供給され、表示される。中央表示基板１０３ｄは、主制御基板４００ａによる制御の下、接続される７セグＬＥＤ５００、あるいはランプ等の表示デバイスの駆動、あるいは点灯制御を行う。
【００２０】
また、振り分け機構ＧＯとホッパ装置ＨＰは、入出力ポート４００ｇ，４００ｈを介して主制御基板４００ａに接続され、制御される。更に、サブ制御基板４００ｂは、音響制御部４００ｉと、照明制御部４００ｊおよび表示装置制御部４００ｋを備え、音響制御部４００ｉにはスピーカＳＬ，ＳＲ，ＳＷが、照明制御部４００ｊには演出用ランプ１０３ａ，１０４ａ，１０４ｂが、そして、画像再生装置４００ｋには演出用の液晶表示パネル１０６が接続されている。
【００２１】
そして、ゲームの進行等に応じて主制御基板４００ａから指令される演出制御の内容に従って、音響制御部４００ｉはスピーカＳＬ，ＳＲ，ＳＷによる音響演出の制御、照明制御部４００ｊは演出用ランプ１０３ａ，１０４ａ，１０４ｂによる照明演出の制御、画像再生基板４００ｋは液晶表示パネル１０６による演出表示の制御を行う。演出表示の制御については後述する。
また、回胴リール制御部４００ｃは、回胴リール装置２００に設けられている電動モータ（図示略）を制御し、回胴リールＲ１，Ｒ２，Ｒ３の回転と制動及び停止の制御を行う。
【００２２】
図５は、本発明における遊技機の基板ケース構造の一実施形態を説明するために引用した組立て構成図である。図５において、４１１はケースカバー、４１２は基板ケース、４１３はＲＯＭが実装される制御基板である。
ケースカバー４１１は、その側部に、ケースカバー４１１を基板ケース４１２に固定するための一対の固定部４１４、４１５が、それぞれケースカバー４１１の側部に沿って所定の間隔を介して４組ずつ設けられている。また、基板ケース４１２の固定部４１４、４１５は、基板ケース４１２の固定部４１６、４１７に各々対応して配置され、各々基板ケース４１２の側面から外側に張り出して設けられており、いずれも同一の構成を備えている。
【００２３】
固定部４１４、４１５は、所定の対向間隔をもってケースカバー４１１の側面から内側に張り出した各２本の爪を有する破断部４１８と、この破断部４１８の先端に設けられて円筒状をなす頭部カバー４１９とを備えている。
各２本の爪を有する破断部４１８は、例えばニッパなどの簡単な工具を用いて切断可能な幅に形成されている。また、ニッパなどの切断具の先端が挿入しやすいように、所定の対向間隔を介して配置されている。破断の方法は、いずれの方法であってもよいが、簡単に切断するためには、好ましくは、２本の破断部４１８の間に形成された対向間隔に、切断具の先端を挿入する方法がよい。また、破断部４１８を切断可能に形成すると、切断のため以外の外部からの圧力を受けて破損してしまうため、破断部４１８を切断可能とするとともに工具を用いて破断する以外は容易に破断しないような構成として、２本の破断部４１８で頭部カバー４１９を支持するようにしている。
【００２４】
この頭部カバー４１９には、図７に示すように、その底部には、基板ケース４１２側の固定部４１６、４１７の取付穴に対応して止めネジ４２０をねじ込み可能な固定穴４２１が形成されている。そして、この固定穴４２１から止めネジ４２０をねじ込んで、制御基板４１３の突出部材４２３、そして基板ケース４１１の固定部４１６、４１７の取付穴４２２にまでねじ込んで締め込むことにより、基板ケース４１２の固定部４１６、４１７を固定することができ、このことにより、ケースカバー４１１を基板ケース４２１に固定することができる。上記したように、ケースカバー４１１を基板ケース４２１に固定する際、特徴的には、基板ケース４１２の四隅に固定された制御基板４１３の上側面に外に向かって形成される突出部材４２３を挟んで固定される。突出部材４２３には、そのためにネジを貫通させるための固定穴４２４が設けられている。
【００２５】
なお、頭部カバー４１９は、止めネジ４２０がねじ込み可能なように、止めネジ４２０の頭部の外径よりも若干大きな内径を有しているが、止めネジ４２０の頭部の外径と頭部カバー４２０の内径との差は、例えばペンチなどの工具が挿入されない程度の差のみを有するように形成されている。したがって、止めネジ４２０を、図７に示すように、奥までねじ込んでしまうと、ペンチなどの工具で止めネジ４２０の頭部や鍔部を挟み込んで、強引に止めネジ４２０を反ねじ込み方向（反時計回り）に回転させて止めネジ４２０を緩めることはできない。
従って、一旦、取付穴４２１、４２２、４２４にねじ込まれた止めネジ４２０は、この止めネジ４２０を緩めることができないことから、基板ケース４１２からケースカバー４１１を開封するには、封止機構として付加される２本の破断部４１８を切断する必要がある。
【００２６】
図６に、上記した封止機構の断面図が示されている。図６（ａ）は、破断部４１８が破断されていない未開封状態、すなわち、図７を用いて説明した状態を、図６（ｂ）は、ケースカバー４１１側に取り付けられた破断部４１８が切断された場合の状態を、図６（ｃ）は、遊技機側に取り付けられている基板ケース４１２側の破断部４１８が切断された場合の状態を示している。
図６（ｂ）に示されるように、ケースカバー４１１側に取り付けられた破断部４１８が切断された場合ケースカバー４１１の固定部４１６、４１７は基板ケース４１２側の固定部４１６、４１７に対してネジ止めにより固定されていても、ケースカバー４１１側の固定部４１４、４１５は基板ケース４１２に対して破断部４１８のみで連続していることから、２本の破断部４１８の切断によって、ケースカバー４１１側の固定部４１６、４１７は基板ケース４１２から離脱可能となり、この状態でケースカバー４１１を基板ケース４１２から離れる方向へ引き上げれば、開封が可能になる。
一方、図６（ｃ）に示されるように、基板ケース４１２側の２本の破断部４１８が破断されても、制御基板４１３は、一端は基板ケース４１２に止めネジ４３０で、他端は、突出部材４２３の固定穴４２４を介して固定部４１４、４１５に対してネジ止め固定されているため、基板ケース４１２の開封はできない。
なお、ケースカバー４１１を基板ケース４１２から取り外してから、再び基板ケース４１２にケースカバー４１１を固定するには、２本の破断部４１８が未だ破断されていない、他の左右一対の基板ケース４１２側の固定部４１６、４１７とケースカバー４１１側の固定部４１４、４１５とを用いればよい。また、基板ケース４１２側の固定部４１６、４１７の頭部カバー４１９の深さは、止めネジ４２０を固定穴４２１にのみねじ込んで仮止めしている状態でも、止めネジ４２０の頭部が頭部カバー４１９の上端から突出しない程度の深さとし、止めネジ４２０の長さにほぼ等しい高さの頭部カバー４１９としている。
【００２７】
ところで、上記した突出部材４２３には、更に、制御基板切断部位４２５（４２５ａ〜４２５ｄ）が設けられる。制御基板切断部位４２５は、ケースカバー４１１が開封されたときにその痕跡が残るように形成される破断部４１４と同じ目的で用いられる導線であり、更に、切断された箇所を特定する目的で設けられるものである。
すなわち、図８（ａ）に示されるように、ケースカバー４１１の固定部材４１４のそれぞれに対応して４個設けられる突出部材４２３を跨って導線による電気配線４２６が施されており、また、図８（ｂ）に示されるように、各制御基板切断部位４２５ａ〜４２５ｃには、それぞれ容量（抵抗値）の異なる抵抗Ｒ（Ｒ１〜Ｒ４）が並列に接続されている。このように突出部材４２３には、制御基板切断部位４２５が実装され、図８（ｃ）に示す基板ケース４１２の固定部４１６にネジ止めされる。
このことにより、破断部４１８、制御基板切断部位４２５（４２５ａ〜４２５ｄ）共に切断しない限り制御基板４１３にアクセスできない構造とすることで、従来方式に比較して不正に制御基板４１３を開封する機会を減らすことができる。また、開封の履歴が残ることから開封の履歴をわざわざ記録する手間が省ける。
【００２８】
図９に、制御基板切断部位が切断されたときの切断箇所の特定を行う検出回路の構成の一例が示されている。ここに示す制御回路は、ＲＯＭが実装された制御基板４１３に同じく実装される。
すなわち、制御基板４１３に実装されたＣＰＵは、電源電圧Ｖｃｃにプルアップされ、制御基板切断部位４２５毎、並列に接続された各抵抗の電圧効果の変動によって制御基板切断部位４２５の切断、ならびにその位置を特定することができる。具体的に、ＣＰＵは、接続点ｘの電位をＡ／Ｄ変換器４２６、ならびに図示せぬ入出力ポートを介して取り込み、その電圧値によって制御基板切断部位４２５のどの部位が切断されたかを知ることができる（切断箇所によって電圧降下の値が異なる）。
上記したように、破断部４１８、制御基板切断部位４２５共に切断されたときにはじめて制御基板４１３へのアクセスを許可する構成とすることで、ケースカバー４１１が開封された痕跡を残し、更に、切断箇所の特定を可能とするものである。なお、制御基板４１３が内蔵するメモリに上記した開封履歴をログとして残し、ケースカバー開封（切断）報知のためのランプやブザーを設け、都度、管理者もしくはホールコンピュータに通知しても良い。
【００２９】
以上説明のように本発明によれば、破断部４１８と新たに付加される制御基板切断部位４２５が共に切断されない限り制御基板４１３へのアクセスを許可しない構造とすることで、従来に比較して不正なケースカバー４１１の開封が行われる頻度を少なくでき、更に、制御基板４１３は、それぞれの基板切断部位４２５の電気配線４２６に各並列に接続される容量の異なる抵抗Ｒによって示される電圧降下の変化を検出して基板切断部位４２５の切断箇所を特定し、切断回数と共に保持することで、開封履歴が自動的に残ることから管理者による見落とし等のミスがなくなり、そのための負担が軽減される。
なお、ＲＯＭが実装された制御基板４１３は基板ケース４１２に固定されているため、ケースカバー４１１の破断部４１８が切断されても基板ケースにアクセスすることができず、また、破断部が切断されて制御基板がアクセスされた場合、その痕跡は一目瞭然であり、従って、管理者が見落とすことはなくなる。
【図面の簡単な説明】
【００３０】
【図１】スロットマシンの外観構造を示した正面図である。
【図２】スロットマシンの内部構造を示した断面図である。
【図３】スロットマシンが内蔵する制御システムの構成ブロック図である。
【図４】図２の要部拡大図である。
【図５】本発明における遊技機の基板ケース構造の組立て構成図である。
【図６】本発明実施形態に係わる封止機構の断面図である。
【図７】図５の固定部の断面構造を示す図である。
【図８】本発明実施形態に係わる制御基板切断部位の切断箇所を検出する回路の一例を示す図である。
【図９】本発明実施形態に係わる制御基板切断部位の切断箇所を検出する回路の一例を示す図である。
【符号の説明】
【００３１】
４１１            ケースカバー
４１２            基板ケース
４１３            制御基板
４１４（４１５）  固定部（ケースカバー）
４１６（４１７）  固定部（基板ケース）
４１８            破断部
４１９            頭部カバー
４２０            止めネジ
４２３            突出部材
４２５            制御基板切断部位
【図１】
2006006535.tif 000003
【図２】
2006006535.tif 000004
【図３】
2006006535.tif 000005
【図４】
2006006535.tif 000006
【図５】
2006006535.tif 000007
【図６】
2006006535.tif 000008
【図７】
2006006535.tif 000009
【図８】
2006006535.tif 000010
【図９】
2006006535.tif 000011